(57)【特許請求の範囲】
【請求項１】
硬質の表表紙（１１）、硬質の裏表紙（１２）及び硬質の背表紙（１３）とで形成される硬質部、該硬質部に対して表表紙（１１）の一端縁（１１ｅ）と背表紙（１３）の一端縁とを連結すると共に裏表紙（１２）の他端縁（１２ｅ）と背表紙（１３）の一端縁とを連結する機能を果たす軟質の伸縮布（１１Ａ）又は伸縮布（１２Ａ）で形成される書籍外郭部、書籍外郭部の内側に挟持される多数枚の紙葉からなり、その背表紙側の端縁（１５ｅ）において相互に見開き可能に綴じ合わされた紙葉部（１５）並びに書籍外郭部における見返し部強度紙（１６）又は奥付部強度紙（１７）と紙葉部（１５）の背表紙側の端縁とを相対位置可変に連結する紙葉接合部（１４）で主として形成された無段差見開き可能書籍類（１）の構造。
【請求項２】
書籍類（１）の紙葉部（１５）の厚さ（Ｔ）、表表紙（１１）と背表紙（１３）との間又は裏表紙（１２）と背表紙（１３）との間を連結する伸縮布（１１Ａ又は１２Ａ）の巾（ＷＡ）、表表紙（１１）の背表紙側の端縁（１１ｅ）又は裏表紙（１２）の背表紙側の端縁（１２ｅ）から紙葉部（１５）の背表紙側の端縁（１５ｅ）までの距離（ＷＥ）、背表紙（１３）の幅（ＴＢ）において、
関係式  ＷＡ≧０．３Ｔ  で表わされる関係が成り立つ様に伸縮布の幅（ＷＡ）を背表紙の巾（Ｔ）に対して設定する請求項１に記載の無段差見開き可能書籍類の構造。
【発明の詳細な説明】
【０００１】
【発明の属する技術分野】
本発明は特に辞典類、便覧類又は参考書類等の様な硬質の表表紙と裏表紙とで両側から挟まれると共に硬質の背表紙で背後からも支持された厚手の書籍類において、その見開き時に綴り合わせ線の両側に可能な限り段差が生じない状態で両頁が連続される（「無段差見開き」と略称することがある）可能構造に関する。詳しくは、上記の書籍類の特定頁の綴り合わせ線付近を閲覧する場合又は当該区域を複写する場合等に直面する所謂「段違い」状態を可能な限り回避し得てその結果として視認性不足又は画像不良を解消し得る「書籍構造」に関する。
【０００２】
【従来の技術】
既に、書籍の綴り合わせ部に関する本発明の構造に一見類似のものとして特開昭５９−３５９９５号公報には次の様に開示されている：
装丁部と、複数枚の内部紙葉および前記内部紙葉を書籍の開閉時に前記内部紙葉の回転軸となる端部が形成されるように接合する手段を含む本体部とからなる本において、
ａ）本の表紙と裏表紙を形成する連続シートと、
ｂ）前記シートに設けた実質上平行な一対の折り目であって、前記シートを前記折り目に沿って折曲げたとき、前記本体が前記折曲げられたシートの対向する内面間におさまるとともに、前記端部が前記両折り目間の区域に隣接配置されて本の背を形成するような間隔をおいて設けた一対の折り目と、
ｃ）前記背の折り目に実質上平行に、かつ、前記背の両折り目間の区域から間隔をおいて設けられた少なくとも一つの補足折り目と、
ｄ）前記背の両折り目間の区域および前記補足折り目と前記背部との間の区域を除いて、前記シートを前記本体部の隣接部分に接合する手段とを備え、
ｅ）前記背の両折り目と前記補足折り目によって、前記シートと前記本体部の間に、本の開閉時に前記背の折り目と前記補足折り目が同時に折曲げられるにつれて形状と大きさが変化して本が実質上１８０゜に開くのを許容する空間が形成されるようにしたことを特徴とする本。
【０００３】
上記の公開公報に記載された「本」においては確かに、背表紙として硬質の厚紙からなる「コ」の字型断面の長尺体が用いられており、該長尺体においては屈曲部に折り目が形成されている寄与によって屈曲に或程度の余裕が与えられている。しかし、如何に折り目が設けられようとも、所詮は破壊がそこから始まる傾向は否定できない。それに加えて、開かれた本の背表紙が硬質の厚紙からなる場合には、固い背表紙が山折り（読者側からみれば谷折り）となれば綴じ合わせ部付近の高さに段差が生ずることは避け難い。
【０００４】
【発明が解決しようとする課題】
本発明は上記の従来書籍には不可避であった背表紙（それに隣接する硬質部分をも包含）の山折りを回避して、特に厚手の書籍においても見開き時に綴じ合わせ目の両側において段差が殆ど生じない様にする為の書籍構造（「無段差見開き可能構造」）として如何なるものがその要請に応え得るかということを種々検討した結果、本発明を完成した。
【０００５】
【課題を解決するための手段】
本発明者は見開き時に綴じ合わせ目の両側に段差を生じさせない綴じ合わせ構造（無段差見開き構造）として、下記のものを開発することに成功した。即ち本発明は下記の構成からなる：
硬質の表表紙、硬質の裏表紙及び硬質の背表紙とで形成される硬質部、該硬質部に対して表表紙の一端縁と背表紙の一端縁とを連結すると共に背表紙の他端縁と裏表紙の一端縁とを連結する機能を果たす軟質の伸縮布で形成される書籍外郭部、書籍外郭部の内側に挟持される多数枚の紙葉からなる内部紙葉部であってその背表紙側端縁で相互に見開き可能に綴じ合わされた部分並びに書籍外郭部における見返し部強度紙又は奥付部強度紙と紙葉部の背表紙側端縁とを相対位置可変に連結する紙葉接合部で主として形成された見開き時に綴り合わせ線の両側に段差を生じにくい書籍類の構造（無段差見開き可能構造）。
【０００６】
【発明の実施の形態】
＜図面に基づく説明＞
本発明の「書籍の構造」を以下に図に基づいて具体的に説明する。図１は本発明の構造を備えた書籍（１）の斜視図である。なお、説明の対象となる書籍を便宜上「左綴じ」（洋書綴じ）のものとするが、それに限らず「右綴じ」（和書綴じ）の書籍に対しても本発明の効果は同一に発現されることを念の為に付言する。
【０００７】
図１において、本発明の構造を備えた書籍は表表紙（１１）が伸縮布（１１Ａ）によって背表紙（１３）に連結され、背表紙（１３）は更に伸縮布（１２Ａ）によって裏表紙（１２）に連結され、これらで形成される書籍外郭部の間に紙葉部（１５）が挟み込まれていることが看取できる。この伸縮布（１１Ａ又は１２Ａ）が２個所に亙って配置されていることは図２から明らかである。
【０００８】
図２は本発明の構造を備えた書籍類（１）の見開き状態を示し、図２においては表表紙（１１）と背表紙（１３）との間の伸縮布（１１Ａ）及び背表紙（１３）と裏表紙（１２）との間の伸縮布（１２Ａ）が明瞭に示されている。本発明の効果を所期の通りに収めるには、この伸縮布（１１Ａ）及び伸縮布（１２Ａ）の巾をそれぞれ如何様に設定するかが重要である。
【０００９】
図３は本発明の構造を備えた書籍類（１）の模式的拡大側面図であって、図１を左下位置から見た状況を拡大したものと考えることができる。図３において左上頂面に示された区画（１１Ａ）は伸縮布（１１Ａ）であって、その右縁は表表紙（１１）に連結し、左縁は背表紙（１３）に連結する。他方、図３の左下面に示された区画（１２Ａ）は伸縮布（１２Ａ）であって、その右縁は裏表紙（１２）に連結し、左縁は背表紙（１３）に連結する。
【００１０】
この書籍外郭部に挟まれた紙葉部（１５）は多数枚の記録媒体通常は紙葉の重ね合わせであって、その背表紙側の端縁（図３では左端）（１５ｅ）が直接に接合されるか又は補強兼支持の為の紙葉接合部（１４）等で相互に接合されて多数回の見開き操作にも耐え得る様に作成されている。この紙葉接合部（１４）の両翼の片方は表表紙（１１）の裏に接着されて「見返し（１６）」となり、両翼の他方は裏表紙（１２）の裏面に接着されて「奥付（１７）」となっている。
【００１１】
図４は本発明の構造を備えた厚手の書籍類（１）を見開いた状態をその綴り合わせ線の方向から見た側面見取り図である。図４においては紙葉部（１５）がその綴り合わせ線を境にして両側に開かれており（綴り合わせ線よりも左側の紙葉部を「左紙葉部（１５Ｌ）」、右側の紙葉部を「右紙葉部（１５Ｒ）」と称することがある）、双方が紙葉接合部（１４）によって左右の「伸縮布」（１１Ａ及び１２Ａ）を介してそれぞれ表表紙又は裏表紙に連結され、両伸縮布のそれぞれが共通の硬質板状の背表紙（１３）の何れかの長辺に連結した状態が形成されている。
【００１２】
本発明の構造を備えた書籍類（１）において、特に見開き時の左紙葉部（１５Ｌ）の厚さと右紙葉部（１５Ｒ）の厚さとが大幅に異なる場合にも綴じ合わせ線の両側に段差が殆ど生じない（「無段差見開き可能」）理由は現在までの処十分には解明されていない。
【００１３】
この段差発生を防止するには、書籍類を構成する表表紙（１１）と背表紙（１３）との間を連結する伸縮布（１１Ａ）又は裏表紙（１２）と背表紙（１３）との間を連結する伸縮布（１２Ａ）のそれぞれの幅（ＷＡ）、表表紙（１１）又は裏表紙（１２）の背表紙寄り端縁［それぞれ（１１ｅ）又は（１２ｅ）］から紙葉部（１５）の背表紙側端縁（１５ｅ）までの距離（ＷＥ）、背表紙（１３）の幅（Ｔ）とすれば、次の関係式で表わされる条件が充足されるべきことが判った：
関係式  ＷＡ≧０．３Ｔ
上記の関係式が充足される様に伸縮布（１１Ａ）の幅又は伸縮布（１２Ａ）の幅［共に（ＷＡ）］をその背表紙の幅（Ｔ）に対して設定すれば、如何なる厚さの書籍類特に、厚さ８０ｍｍ以上の様な極めて厚手の書籍においても何等の問題無しに無段差見開き可能な特性を付与することができる。
【００１４】
尤も、上記の関係式におけるＴは特に理論的下限を有しないが、通常の使い勝手から見てＴ≧通常３０ｍｍの下限が妥当であろう。尤も、必要に応じて更に薄手の書籍即ち小さなＴのものでも制作可能である。従って、この厚さ下限は別に設定に及ばない。
【００１５】
また、同様に上記の関係式に対してはＷＡ≧ＷＥの条件も当然の前提といいながら、暗黙の条件である。
見開かれた書籍類（１）において、綴り合わせ線の両側に生ずる段差が問題になる程に大きくなる限りは、厚い方の紙葉部の下側に背表紙（１３）の側縁部が突出する事態を解消することは望み難い。
【００１６】
そこで見開き段差の解決策としては、伸縮布（１１Ａ）の幅又は伸縮布（１２Ａ）の幅［共に（ＷＡ）］を背表紙（１３）の幅（Ｔ）に対して所定値以上に設定することが広範な試行錯誤の結果から有力と期待される。即ち、ここで所定値とは上記の広範な試行錯誤の結果から帰納して決定されたものであって、書籍類の厚さ（Ｔ）と伸縮布（１１Ａ）の幅（ＷＡ）［伸縮布（１２Ａ）の幅（ＷＡ）も同一で可］との間に成立すべき特定の関係であることは既に上記の通りである。
【００１７】
＜本発明の構造形成に用いられる材料＞
＜＜表表紙（１１）、裏表紙（１２）及び背表紙（１３）＞＞
本発明の構造における表表紙（１１）、裏表紙（１２）及び背表紙（１３）の３者を形成する硬質扁平材料は通常、硬質のボール紙等で十分であるが、場合によっては他の材料例えば、皮革、木板、合成樹脂板等が単独で又は２種以上の組合せとして用いられる。これらの素材としては要するに、容易には変形、屈曲又は破損等を生ずることなく、間に挟まれた紙葉部の重量を長期間に亙って支承し得る剛性、製本適性及び耐久性等に加えて触感、価格／使い易さ比率及び適度の軽量性等が備わっていることである。
【００１８】
＜＜伸縮布（１１Ａ）及び伸縮布（１２Ａ）＞＞
本発明の構造における軟質の「伸縮布（１１Ａ）」又は「伸縮布（１２Ａ）」は表表紙（１１）と背表紙（１３）との連結及び背表紙（１３）と裏表紙（１２）との連結を長期に亙り実現するものである。なお、名称の「伸縮」は通常の意味における「伸縮」即ち幅方向の伸縮又は長さ方向の伸縮の何れでもなく、寧ろ「多数回屈曲可能」の意味に解すべきである。従って、この伸縮布には極めて多数回の折曲げ、引張り、引裂き等に耐えると共に、伸縮布によって仲介される表紙類との強固な接着性（耐剥離力と凝集力との兼備）を備えていることが要求される。この要求に応える伸縮布としては、強力レーヨン布、強力綿布、和紙又はレーヨン紙等が適宜て用いられている。
【００１９】
＜＜紙葉接合部（１４）＞＞
本発明の構造における「紙葉接合部（１４）」は前記の書籍外郭部における見返し部強度紙（１６）又は奥付部強度紙（１７）と紙葉部（１５）の背表紙側の端縁とを相対位置可変に連結する紙状物である処から、連結される両者に対する強い接着性（耐剥離力と凝集力との兼備）を備えることは勿論、厚手の書籍類においては重量に富む紙葉部（１５）に起因する強い引張力、引裂き作用等に耐えると共に、時間の経過に伴うクリープ変形、劣化による強度低下等をも可能な限り生じにくい薄膜材料であることを要する。
【００２０】
従って、「紙葉接合部（１４）」の材料は本来の「紙」に限定されず、上記の性状を充足し得る材料であればここで言う「強度紙」としては十分である。この強度紙としても通常は上記の「伸縮布」と同一の紙状物即ち、強力レーヨン布、強力綿布、和紙又はレーヨン紙等が適宜選択して用いられ得る。特に、紙葉部（１５）の背表紙側の端縁（１５ｅ）を連結する区域の紙葉接合部（１４）はゴム引き布の様な強靱な加工布が好ましい場合がある。
【００２１】
＜＜紙葉部（１５）＞＞
本発明の構造における「紙葉部（１５）」は通常の書籍における紙葉部と同一の各種素材で作成され得る。即ち、本発明の構造においては、紙葉部（１５）の素材如何はその見開き時に綴じ合わせ部の両側に段差が生じないか否かには殆ど影響を及ぼさない。その理由は紙葉部（１５）が書籍類（１）の構造を直接に支えるものではなく、単なる情報媒体に過ぎない点に求められる。この見地から、紙葉部（１５）の殆どは洋紙即ち、木質パルプ紙で主として形成されており、純粋の和紙で形成された紙葉部は特殊な書籍類に見受けられるに過ぎない。
【００２２】
なお、本発明の無段差見開き可能書籍等を構成する紙葉は図３及び図４に示された例によれば、通常は見開き幅の紙葉をその長辺中央を通る線で二つ折りにしたものであって、その紙葉の折り目に沿った部分を紙葉接合部（１４）に結合したものである。即ち、各紙葉の両端付近が相互に結合されて一連に形成された紙葉部で形成されていることが本発明の無段差見開き可能書籍等にとっては重要である。
【００２３】
＜＜見返し部強度紙（１６）及び奥付部強度紙（１７）＞＞
本発明の無段差見開き可能書籍等（１）を形成するには、表表紙（１１）及び裏表紙（１２）の裏面と紙葉部（１５）の背表紙側の端縁［（１１ｅ）及び（１２ｅ）］付近とをそれぞれ見返し部強度紙（１６）及び奥付部強度紙（１７）によって強力に連結することが重要である。
【００２４】
なお、強度紙において見返し部と奥付部との中間に位置する部分は紙葉部（１５）を構成する各紙葉の背表紙側端縁付近を相互に結束する役割を果たすものであって、多くの場合には各紙葉の背表紙側端縁［（１１ｅ）及び（１２ｅ）］と接着剤等で接合されている。この部分は前述の紙葉接合部（１４）である。
【００２５】
見返し部強度紙（１６）及び奥付部強度紙（１７）の材質は前述の「紙葉接合部（１４）」において説明された材質と同一のもので充分である。
【００２６】
【発明の効果】
本発明によれば、作成された書籍類は下記の各種効果を奏することができる：（１）見開き時に綴り合わせ線の両側に著しい厚さの差異がある場合においても、両側の間に殆ど段差が生じない。即ち、無段差見開き可能である
（２）書籍類の綴り合わせ線付近における記録事項も明瞭に視認及び複写できることから、一面に記録されている地図帳、写真集、図面集、デザイン集又は辞典等においても利用者に不便又は不満を生じさせずに全ての記録内容を伝えることができる
【００２７】
【実施例】
本発明の無段差見開き可能な書籍として厚さ６０ｍｍ、９０ｍｍ及び１８０ｍｍの３種類の厚手書籍を製本した。何れの製本においても前記の関係式ＷＡ≧０．３Ｔを充足する様に背表紙（１３）の幅（Ｔ）に上掲の数値を代入して、伸縮布（１１Ａ）の幅及び伸縮布（１２Ａ）の幅［共に（ＷＡ）］をそれぞれ１８ｍｍ、２７ｍｍ及び５４ｍｍと算出された値に設定した。
【００２８】
その結果得られた３種の厚手書籍は綴じ合わせ部の両側の紙葉部（１５Ｌ）と（１５Ｒ）との厚さの間に著しい段差があるにも拘わらず、見開き部は殆ど平坦（「無段差見開き可能」）であって綴じ合わせ部及びその付近における情報も充分明瞭に視認できた。
【図面の簡単な説明】
【図１】図１は本発明の構造を備えた書籍類の斜視図である。
【図２】図２は本発明の構造を備えた書籍類の見開き状態を示す平面図である。
【図３】図３は本発明の構造を備えた書籍類の模式的拡大側面図である。
【図４】図４は本発明の構造を備えた厚手の書籍類を見開いた状態であって、その綴り合わせ線の両側の厚さが等しい状態をその綴り合わせ線の方向から見た側面見取り図である。
【符号の説明】
１    本発明の構造を備えた厚手の書籍類
１１    本発明の書籍類の表表紙
１２        本発明の書籍類の裏表紙
１３    本発明の書籍類の背表紙
１４    本発明の書籍類の紙葉接合部
１５    本発明の書籍類の紙葉部
１６    本発明の書籍類の見返し部強度紙
１７    本発明の書籍類の奥付部強度紙
１１Ａ    本発明の書籍類の表表紙と背表紙との間の伸縮布
１２Ａ    本発明の書籍類の裏表紙と背表紙との間の伸縮布
１５Ｌ    書籍類の左紙葉部
１５Ｒ    書籍類の右紙葉部
Ｔ    本発明の構造を備えた書籍類の背表紙の巾
ＷＡ    伸縮布の巾
ＷＥ    表表紙又は裏表紙の背表紙寄り端縁から張出した紙葉部の背表紙側の端縁までの距離
【図１】
0003611645.tif 000002
【図２】
0003611645.tif 000003
【図３】
0003611645.tif 000004
【図４】
0003611645.tif 000005